(57)【要約】  【課題】  火災の初期消火ないし火災の拡大防止を可能にし、また粉末貯蔵タンクのコスト低減を図れる粉末消火設備を提供する。  【解決手段】  起動装置１１と、粉末消火薬剤を内部に貯えた粉末貯蔵タンク１と、起動装置１１の作動により開放して加圧ガスを粉末貯蔵タンク１に導入して該タンク内を加圧する加圧用ガス容器２、および粉末貯蔵タンク１から粉末消火薬剤を放出する放出弁７と、を備えている粉末消火設備において、前記粉末貯蔵タンク１内が平常、低圧に加圧状態になされているとともに、前記放出弁７が起動装置１１の作動により前記加圧用ガス容器２の開放とともに開放されるようにしてある。【選択図】      図１
2005118108.tif 000002
【特許請求の範囲】
【請求項１】
起動装置と、粉末消火薬剤を内部に貯えた粉末貯蔵タンクと、前記起動装置の作動により開放して加圧ガスを前記粉末貯蔵タンクに導入して該タンク内を加圧する加圧用ガス容器、および前記粉末貯蔵タンクから粉末消火薬剤を放出する放出弁と、を備えている粉末消火設備において、前記粉末貯蔵タンク内が平常、低圧に加圧状態になされているとともに、前記放出弁が前記起動装置の作動により前記加圧用ガス容器の開放とともに開放されるようにしてあることを特徴とする、粉末消火設備。
【請求項２】
起動装置の作動により加圧用ガス容器が開放し、加圧ガスがガス導入弁から粉末貯蔵タンクに入り該粉末貯蔵タンク内を加圧することにより該粉末貯蔵タンク内の粉末消火薬剤が放出弁から放出されるようにした粉末消火方法において、前記粉末貯蔵タンク内を平常、低圧に加圧状態にしておいて、前記起動装置の作動時に前記加圧用ガス容器の開放とともに前記放出弁が開放されて粉末消火薬剤が放出されるようにしてあることを特徴とする、粉末消火方法。
【発明の詳細な説明】
【技術分野】
【０００１】
本発明は、主に産業廃棄物処理場に設置される粉末消火設備及び粉末消火方法に関する。
【背景技術】
【０００２】
従来の一般的な粉末消火設備を図２の系統図に基づき説明する。図２において、１は炭酸水素ナトリウム、又はリン酸アンモニウムなどを主成分とする粉末消火薬剤を内部に貯えた粉末貯蔵タンク、２は窒素ガスなど加圧用ガスを充填した加圧用ガス容器である。３は粉末貯蔵タンク１と加圧用ガス容器２と接続する加圧用ガス輸送配管で、この配管３に常開型の加圧用ガス導入弁（タンク弁）４、常開型のクリーニング弁５及び圧力調整器６を設けている。７は粉末貯蔵タンク１に設けた常閉型の放出弁（元弁）、８は放出弁７の放出弁開閉シリンダ、９は定圧作動装置、１０は選択弁、１１は加圧用ガス容器２及び選択弁１０を起動する起動装置である。
【０００３】
その作動システムは、火災発生により起動装置１１が作動すると、起動装置１１から起動用ガスが出て加圧用ガス容器２を開放し、圧力調整器６によって２．４５ＭＰａ以下にされた加圧ガスが、加圧用ガス導入弁４から粉末貯蔵タンク１内に入り該タンク１内を加圧するとともに、粉末消火薬剤を撹拌する。粉末貯蔵タンク１内が所定圧力（約１．６ＭＰａ）になれば定圧作動装置９が動作し、放出弁７が開放され、粉末消火薬剤が起動装置１１からの信号により開いている選択弁１０を経て消火区画内のノズルまたはヘッド２５から放出される（例えば、特許文献１参照）。なお、クリーニング弁５と加圧用ガス導入弁４間に第１クリーニング接続口１２を設けるとともに、放出弁７の出口側端に第２クリーニング接続口１３を設けていて、消火薬剤輸送配管内の残留消火薬剤をクリーニング処理するときに第１クリーニング接続口１２と第２クリーニング接続口１３とが専用のホース（図示せず）で接続される。粉末貯蔵タンク１には残留ガスを排出するための排出装置２０を設けている。
【０００４】
【特許文献１】特開２００１−２０４８４１号公報（段落番号［０００２］、［０００３］）
【発明の開示】
【発明が解決しようとする課題】
【０００５】
しかるに、上記粉末消火設備では、粉末貯蔵タンク１内を所定圧にまで加圧するに要する時間が必要なため、起動装置１１の作動から消火薬剤放出までの時間（待ち時間）が多少長くなる。このため、起動操作から消火薬剤放出までの間に火災が拡大し、初期消火が困難であり、更には他への延焼をも懸念されるという問題があった。特に、産業廃棄物処理場の様に、火災の拡大が非常に早いところでは危険性が高かった。
かと言って、粉末貯蔵タンク１を内圧力が約１ＭＰａ以上となる蓄圧式にすると、粉末貯蔵タンク１をその高い圧力に対する気密性、耐圧強度を十分なものに設計する必要があり、それだけ製造加工が難しく、圧力タンク材料的にも非常にコスト高になるという問題点が生じるのであった。
【０００６】
本発明は、このような問題を解決するためになされたもので、その目的とするところは、火災の初期消火ないし火災の拡大防止を可能にし、また粉末貯蔵タンクの気密性、耐圧グレードを低く抑えることができてコスト低減を図れる粉末消火設備及び消火粉末消火方法を提供することにある。
【課題を解決するための手段】
【０００７】
本発明の粉末消火設備は、起動装置と、粉末消火薬剤を内部に貯えた粉末貯蔵タンクと、前記起動装置の作動により開放して加圧ガスを前記粉末貯蔵タンクに導入して該タンク内を加圧する加圧用ガス容器、および前記粉末貯蔵タンクから粉末消火薬剤を放出する放出弁と、を備えている粉末消火設備において、前記粉末貯蔵タンク内が平常、低圧に加圧状態になされているとともに、前記放出弁が前記起動装置の作動により前記加圧用ガス容器の開放とともに開放されるようにしてあることに特徴を有するものである。
【０００８】
本発明の粉末消火方法は、起動装置の作動により加圧用ガス容器が開放し、加圧ガスがガス導入弁から粉末貯蔵タンクに入り該粉末貯蔵タンク内を加圧することにより粉末貯蔵タンク内の粉末消火薬剤が放出弁から放出されるようにした粉末消火方法において、前記粉末貯蔵タンク内を平常、低圧に加圧状態にしておいて、前記起動装置の作動時に前記加圧用ガス容器の開放とともに前記放出弁が開放されて粉末消火薬剤が放出されるようにしてあることに特徴を有するものである。
【発明の効果】
【０００９】
本発明の上記構成の粉末消火設備及び粉末消火方法によれば、粉末貯蔵タンク内を平常、低圧状態とはいえ加圧状態にしておくので、火災発生により起動装置が作動すると放出弁が開放されて即座に粉末貯蔵タンクから粉末消火薬剤を少量ではあるけれども放出することができ、したがって逸速く初期の小さい火災を消火するか、仮に消火できない場合でも放出される粉末により初期火災の拡大を速やかに抑えることができる。初期消火されないまま火災拡大を抑えた以降は引き続き加圧用ガス容器から加圧ガスが粉末貯蔵タンク内に導入されて該タンク内が更に加圧されることで粉末消火薬剤が放出され続けるので、火災の拡大を未然に防いだうえで消火を達成することができる。
【００１０】
また、平常、粉末貯蔵タンク内を加圧する圧力は低圧にしてあるため、粉末貯蔵タンクの気密性、耐圧グレードを低く抑えることができ、それだけ粉末貯蔵タンクを容易にかつ低コストで製造できる。
【発明を実施するための最良の形態】
【００１１】
本発明の好適な実施形態を図１に例示する粉末消火設備系統図に基づき説明する。但し、図２に示す粉末消火設備と同一の部分には同一の符号を付してその説明を省略する。
図１において、本発明の粉末消火設備は、粉末消火薬剤を内部に貯えた粉末貯蔵タンク１内を平常、低圧に加圧しておく。その加圧手段としては、例えば、第１クリーニング接続口１２を利用し、この接続口１２に加圧用ガス導入管１４を配管し、該加圧用ガス導入管１４に逆止弁１５、加圧ライン弁１６を設ける。かくして、当該設備の設置時、設置前あるいは設置後に加圧用ガス導入管１４から窒素ガスなど加圧用ガスを粉末貯蔵タンク１内に導入することにより粉末貯蔵タンク１内を予め、低圧に加圧された状態にしておく。その加圧圧力は、粉末貯蔵タンク１の気密性、耐圧グレードを低く抑えることができ、通常使用される粉末貯蔵タンク１をそのまま使用できるように約０．５ＭＰａ程度の低圧に設定する。
【００１２】
そして、起動装置１１の作動により加圧用ガス容器２が開放されるとともに放出弁が開放されるように放出弁開閉シリンダ８の操作弁１７と起動装置１１とを加圧用ガス容器２の容器弁２１の開放器２２を介して配管接続する。２３はリリーフ弁、２４は復旧弁である。
【００１３】
しかるときは、火災発生により手動式又は自動式の起動装置１１が作動すると、加圧用ガス容器２が開放されるとともに、放出弁７が放出弁開閉シリンダ操作弁１７及び放出弁開閉シリンダ８を介して開放され、当初、粉末消火薬剤が少量ながらも選択弁１０を経て消火区画内のノズルまたはヘッド２５から放出されると同時に、加圧用ガス容器２からの加圧ガスが圧力調整器６によって減圧調整されて加圧用ガス導入弁４から粉末貯蔵タンク１内に入り該タンク１内を更に加圧して行く。
【００１４】
このように粉末貯蔵タンク１内を平常、低圧状態とはいえ加圧状態にしておくので、火災発生により起動装置１１が作動すると放出弁７が開放されて即座に粉末消火薬剤が少量ではあるけれども放出することができる。したがって、逸速く初期の小さい火災を消火することができる。たとえ初期消火されない場合でも放出される粉末により初期火災の拡大を抑えることができる。初期消火されないまでも火災拡大を抑えた以降には引き続き加圧用ガス容器２からの加圧ガスが粉末貯蔵タンク１内に導入されて該タンク１内への更なる加圧が行われることで粉末消火薬剤が放出され続けるので、最終的には消火を達成できる。
【産業上の利用可能性】
【００１５】
起動装置の作動から粉末貯蔵タンク内を所定圧にまで加圧するに要する時間を待つ必要がなく、逸速く初期の小さい火災を消火するか、仮に消火されない場合でも放出される粉末により初期火災の拡大を速やかに抑えることができ、産業廃棄物処理場やそのほかの防護対象物に好適に設置される。
【図面の簡単な説明】
【００１６】
【図１】本発の一実施例の粉末消火設備系統図である。
【図２】従来例の粉末消火設備系統図である。
【符号の説明】
【００１７】
１  粉末貯蔵タンク
２  加圧用ガス容器
４  ガス導入弁（タンク弁）
７  放出弁
１１  起動装置
【図１】
2005118108.tif 000003
【図２】
2005118108.tif 000004